(57)【要約】【課題】ユーザに好適な使用感を与えることができるシート搬送装置を提供する。【解決手段】シート搬送装置１は、搬送部４と、排出トレイ９２と、第２位置にある状態で排出トレイ９２の積載面９２Ａに支持されるシートＳＨの先端を規制する規制部５０と、を備える。規制部５０は、第１方向の一端側に位置し、排出方向Ｄ１に沿う方向に延びる第１側壁５１を含む。収容部１００は、規制部５０が第１位置にある状態で第１側壁５１と対向する第１内壁１０１を含む。第１側壁５１及び第１内壁１０１の一方には、規制部５０が第１位置にある状態で第１側壁５１及び第１内壁１０１の他方に向かう突出方向に突出するとともに、突出方向とは逆向きに退避可能な突起５８が設けられる。第１側壁５１及び第１内壁１０１の他方には、突出方向とは逆向きに突出し、規制部５０が第１位置にある状態で突起５８と当接可能な第１当接部１１０が設けられる。【選択図】図６
2018016466.tif 000002
【特許請求の範囲】
【請求項１】
シートを搬送し、排出方向に排出する搬送部と、
前記搬送部によって排出されるシートを支持する積載面と、前記積載面における前記排出方向の下流側に位置する部分に凹設された収容部と、を有する排出トレイと、
前記収容部内を前記排出方向と略直交する第１方向に通過する回動軸心周りで回動可能に前記排出トレイに支持され、前記収容部に収容されて前記積載面から突出しない第１位置と、前記積載面から突出する第２位置との間で変位し、前記第２位置にある状態で前記積載面に支持されるシートの先端を規制する規制部と、を備えたシート搬送装置であって、
前記規制部は、前記第１方向の一端側に位置し、前記排出方向に沿う方向に延びる第１側壁を含み、
前記収容部は、前記規制部が前記第１位置にある状態で前記第１側壁と対向する第１内壁を含み、
前記第１側壁及び前記第１内壁の一方には、前記規制部が前記第１位置にある状態で前記第１側壁及び前記第１内壁の他方に向かう突出方向に突出するとともに、前記突出方向とは逆向きに退避可能な突起が設けられ、
前記第１側壁及び前記第１内壁の前記他方には、前記突出方向とは逆向きに突出し、前記規制部が前記第１位置にある状態で前記突起と当接可能な第１当接部が設けられていることを特徴とするシート搬送装置。
【請求項２】
前記規制部が前記第１位置にある状態で前記第１当接部が前記突起と当接する第１当接方向は、前記規制部の前記第１位置から前記第２位置への回動を規制する方向に設定されている請求項１記載のシート搬送装置。
【請求項３】
前記規制部は、前記第１位置にある状態で前記回動軸心から前記排出方向の上流側に向かって延在し、
前記突起は、前記第１側壁に設けられ、
前記第１当接部は、前記第１内壁に設けられ、前記積載面と前記回動軸心との間、かつ前記回動軸心よりも前記排出方向の上流側に位置し、
前記規制部が前記第１位置にある状態で前記第１当接部が前記積載面側から前記突起と当接する請求項２記載のシート搬送装置。
【請求項４】
前記第１側壁には、前記第１内壁に向かって突出するとともに、前記第１内壁から離間する方向に退避可能な軸部が設けられ、
前記第１内壁には、前記回動軸心周りで回動可能に前記軸部を支持する軸受部が設けられ、
前記第１当接部には、前記積載面の近傍から前記回動軸心に向かって傾斜する第１傾斜面が形成されている請求項３記載のシート搬送装置。
【請求項５】
前記第１側壁及び前記第１内壁の前記他方には、前記突出方向とは逆向きに突出し、前記規制部が前記第２位置にある状態で前記突起と当接可能な第２当接部が設けられている請求項１乃至４のいずれか１項記載のシート搬送装置。
【請求項６】
前記規制部が前記第２位置にある状態で前記第２当接部が前記突起と当接する第２当接方向は、前記規制部の前記第２位置から前記第１位置への回動を規制する方向に設定されている請求項５記載のシート搬送装置。
【請求項７】
前記規制部は、前記第１位置にある状態で前記回動軸心から前記排出方向の上流側に向かって延在し、
前記突起は、前記第１側壁に設けられ、
前記第２当接部は、前記第１内壁に設けられ、前記積載面と前記回動軸心との間、かつ前記回動軸心よりも前記排出方向の下流側に位置し、
前記規制部が前記第２位置にある状態で前記第２当接部が前記積載面側から前記突起と当接する請求項６記載のシート搬送装置。
【請求項８】
前記第１側壁には、前記第１内壁に向かって突出するとともに、前記第１内壁から離間する方向に退避可能な軸部が設けられ、
前記第１内壁には、前記回動軸心周りで回動可能に前記軸部を支持する軸受部が設けられ、
前記第２当接部には、前記積載面の近傍から前記回動軸心に向かって傾斜する第２傾斜面が形成されている請求項７記載のシート搬送装置。
【請求項９】
前記第１側壁には、前記第１内壁に向かって突出するとともに、前記第１内壁から離間する方向に退避可能な軸部が設けられ、
前記第１内壁には、前記回動軸心周りで回動可能に前記軸部を支持する軸受部が設けられ、
前記突起は、前記第１側壁に設けられ、
前記第１当接部は、前記第１内壁に設けられ、
前記第１側壁には、基部から先端部まで片持ち梁状に延び、弾性変形により前記先端部が前記突出方向とは逆向きに変位可能な撓み部が設けられ、
前記軸部及び前記突起は、前記撓み部に形成されている請求項１乃至８のいずれか１項記載のシート搬送装置。
【請求項１０】
前記突起は、前記撓み部における前記軸部よりも前記先端部に近い部分に形成されている請求項９記載のシート搬送装置。
【請求項１１】
前記搬送部、前記排出トレイ及び前記規制部が設けられた第１ユニットと、
前記第１ユニットの下方に配置され、読取部を収容し、前記読取部によって画像が読み取られる原稿を支持する支持面が上面に設けられた第２ユニットと、を備え、
前記第１ユニットは、揺動軸心周りで揺動可能に前記第２ユニットに支持され、前記支持面を覆う閉鎖位置と、前記支持面を露出させる開放位置との間で変位可能であり、
前記回動軸心は、前記揺動軸心と略直交している請求項１乃至１０のいずれか１項記載のシート搬送装置。
【請求項１２】
前記第１側壁は、前記規制部における前記揺動軸心に近い側壁であり、
前記第１内壁は、前記収容部における前記揺動軸心に近い内壁である請求項１１記載のシート搬送装置。
【請求項１３】
前記規制部は、前記第１方向の他端側に位置し、前記排出方向に沿う方向に延びる第２側壁を含み、
前記収容部は、前記規制部が前記第１位置にある状態で前記第２側壁と対向する第２内壁を含み、
前記第２側壁と前記第２内壁との間には、前記規制部が前記収容部に対して位置ずれすることにより増減する隙間が確保され、
前記隙間の変動幅は、前記突起と前記第１当接部との当接幅の最大値以上に設定されている請求項１２記載のシート搬送装置。
【発明の詳細な説明】
【技術分野】
【０００１】
本発明はシート搬送装置に関する。
【背景技術】
【０００２】
特許文献１に従来のシート搬送装置の一例である原稿搬送装置が開示されている。この原稿搬送装置は、搬送部、給紙トレイ部、排紙トレイ部及び原稿ストッパー体を備えている。
【０００３】
搬送部は、原稿を搬送し、排出方向に排出する。給紙トレイ部の積載面は、搬送部によって搬送される前のシートを支持するとともに、搬送部によって排出されるシートを排紙トレイ部とともに支持する。排紙トレイ部には、積載面におけるシートの排出方向の下流側に位置する部分に凹部が凹設されている。原稿ストッパー体は、凹部に収容されて積載面から突出しない第１位置と、積載面から突出する第２位置との間で変位可能である。原稿ストッパー体の第１位置と第２位置との間の変位は、原稿ストッパー体の一端部に設けられた軸心周りに原稿ストッパー体が回動することで実現される。原稿ストッパー体は、第２位置にある状態で、搬送部によって排出されるシートが積載面から滑り落ちないように、積載面に支持されるシートの先端を規制する。
【先行技術文献】
【特許文献】
【０００４】
【特許文献１】特許第４４００７５９号公報
【発明の概要】
【発明が解決しようとする課題】
【０００５】
しかし、上記従来の原稿搬送装置では、ユーザが原稿搬送装置を移動させたり、原稿搬送装置の設置状態を変更したりする場合等、作業時の姿勢変化や衝撃等により、原稿ストッパー体が意図せずに第１位置から第２位置に変位したり、がたついて異音が発生したりするという不具合が生じるおそれがある。その結果、この原稿搬送装置では、ユーザに好適な使用感を与えることが難しくなるおそれがある。
【０００６】
本発明は、上記従来の実情に鑑みてなされたものであって、ユーザに好適な使用感を与えることができるシート搬送装置を提供することを目的とする。
【課題を解決するための手段】
【０００７】
本発明のシート搬送装置は、シートを搬送し、排出方向に排出する搬送部と、
前記搬送部によって排出されるシートを支持する積載面と、前記積載面における前記排出方向の下流側に位置する部分に凹設された収容部と、を有する排出トレイと、
前記収容部内を前記排出方向と略直交する第１方向に通過する回動軸心周りで回動可能に前記排出トレイに支持され、前記収容部に収容されて前記積載面から突出しない第１位置と、前記積載面から突出する第２位置との間で変位し、前記第２位置にある状態で前記積載面に支持されるシートの先端を規制する規制部と、を備えたシート搬送装置であって、
前記規制部は、前記第１方向の一端側に位置し、前記排出方向に沿う方向に延びる第１側壁を含み、
前記収容部は、前記規制部が前記第１位置にある状態で前記第１側壁と対向する第１内壁を含み、
前記第１側壁及び前記第１内壁の一方には、前記規制部が前記第１位置にある状態で前記第１側壁及び前記第１内壁の他方に向かう突出方向に突出するとともに、前記突出方向とは逆向きに退避可能な突起が設けられ、
前記第１側壁及び前記第１内壁の前記他方には、前記突出方向とは逆向きに突出し、前記規制部が前記第１位置にある状態で前記突起と当接可能な第１当接部が設けられていることを特徴とする。
【０００８】
本発明のシート搬送装置では、規制部が第１位置にある状態では、突起と第１当接部とが当接する。これにより、シート搬送装置の移動時の姿勢変化や衝撃等があっても、規制部の第１位置から第２位置への変位やがたつきを好適に規制できる。
【０００９】
一方、シート搬送装置の作動時、積載面に支持されるシートの先端を規制部によって規制する必要がある場合、ユーザが規制部を第１位置から第２位置に回動させる。この際、突起が突出方向とは逆向きに退避して第１当接部から離間する。これにより、規制部の第１位置から第２位置への回動が突起によって妨げられない。逆に、規制部の第２位置から第１位置への回動も同様である。
【００１０】
したがって、本発明のシート搬送装置では、ユーザに好適な使用感を与えることができる。
【図面の簡単な説明】
【００１１】
【図１】実施例１の画像読取装置の斜視図である。
【図２】実施例１の画像読取装置の模式正面図である。
【図３】第２ユニットと、開放位置にある第１ユニットとを示す部分斜視図である。
【図４】収容部と、第１位置にある規制部とを示す部分斜視図である。
【図５】収容部と、第１位置にある規制部とを主に示す部分上面図である。
【図６】図５のＡ−Ａ断面を示す部分断面図である。
【図７】収容部と、第２位置にある規制部とを示す部分斜視図である。
【図８】収容部と、第２位置にある規制部とを主に示す部分上面図である。
【図９】図８のＢ−Ｂ断面を示す部分断面図である。
【図１０】収容部、軸受部、第１当接部及び第２当接部を示す部分斜視図である。
【図１１】規制部の斜視図である。
【図１２】規制部の部分上面図である。
【図１３】図６のＣ−Ｃ断面を示す部分断面図である。
【図１４】実施例２の画像読取装置に係り、収容部と、第１位置にある規制部とを主に示す部分上面図である。
【図１５】実施例２の画像読取装置に係り、収容部と、第１位置にある規制部とを主に示す部分上面図である。
【発明を実施するための形態】
【００１２】
以下、本発明を具体化した実施例１、２について図面を参照しつつ説明する。
【００１３】
（実施例１）
図１に示すように、実施例１の画像読取装置１は、本発明のシート搬送装置の具体的態様の一例である。図１では、操作パネル８Ｐが配置される側を装置の前方と規定し、操作パネル８Ｐに向かった場合に左手に来る側を左方と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１４】
＜全体構成＞
図１〜図３に示すように、画像読取装置１は、本体部８及び開閉部９を備えている。本体部８は、扁平な略箱状体である。開閉部９は、本発明の「第１ユニット」の一例である。本体部８は、本発明の「第２ユニット」の一例である。
【００１５】
図２に示すように、本体部８内の下部分には、画像形成ユニット５が収容されている。画像形成ユニット５は、インクジェット方式又はレーザ方式等によりシートに画像を形成する。本体部８内の上部分には、読取ユニット３が収容されている。読取ユニット３は、原稿の画像を読み取る際に使用される。
【００１６】
開閉部９には、供給トレイ９１、搬送部４及び排出トレイ９２が設けられている。
【００１７】
供給トレイ９１は、開閉部９の右部分に配置されている。供給トレイ９１は、読取対象のシートＳＨを下から支持する。
【００１８】
搬送部４は、シートＳＨの画像を読取ユニット３に読み取らせる際に使用される。図示は、省略するが、搬送部４は、搬送ローラ、分離ローラ及び排出ローラ等の周知の構成を備えている。搬送部４は、供給トレイ９１に載置されたシートＳＨを搬送経路Ｐ１に沿って順次搬送し、排出方向Ｄ１に排出する。本実施例では、排出方向Ｄ１は、搬送経路Ｐ１の最下流側から右向きに延びる方向である。
【００１９】
図１及び図２に示すように、排出トレイ９２は、開閉部９の右部分における供給トレイ９１よりも下方の位置に配置されている。排出トレイ９２の上を向く面は、積載面９２Ａである。積載面９２Ａは、排出方向Ｄ１と略平行に延在し、排出方向Ｄ１の下流側に向かって僅かに上り傾斜している。積載面９２Ａには、画像の読み取りが終わって搬送部４によって排出されるシートＳＨが積載される。
【００２０】
図１に示すように、本体部８の前面には、タッチパネル等である操作パネル８Ｐが設けられている。操作パネル８Ｐは、ユーザによって操作され、画像形成ユニット５、読取ユニット３及び搬送部４を作動させるための各種入力を受ける。
【００２１】
図２及び図３に示すように、本体部８の上面には、第１プラテンガラス８１及び第２プラテンガラス８２が配設されている。第１プラテンガラス８１の上面によって、支持面８１Ａが形成されている。支持面８１Ａは、静止した状態の原稿の画像を読取ユニット３が読み取る際に、その原稿を下から支持する。読取対象の原稿には、用紙、ＯＨＰシート等であるシートの他、書籍等が含まれる。第２プラテンガラス８２は、第１プラテンガラス８１の左に位置して前後方向に細長く延びている。第２プラテンガラス８２の上面によって、読取面８２Ａが形成されている。読取面８２Ａは、搬送部４によって１枚ずつ搬送されるシートＳＨの画像を読取ユニット３が読み取る際に、その搬送されるシートＳＨを下から案内する。
【００２２】
なお、本実施例においては、支持面８１Ａを使用して画像が読み取られる対象を原稿と記載し、搬送部４により搬送しながら画像が読み取られる対象をシートＳＨと記載する。原稿とシートＳＨとは、実質的に同じものであってもよい。
【００２３】
図３に示すように、本体部８の後方の２箇所に、それぞれヒンジ８Ｈが配設されている。開閉部９は、両ヒンジ８Ｈによって、左右方向に延びる揺動軸心Ｘ９周りで揺動可能に本体部８に支持されている。開閉部９は、図１及び図２に示す閉鎖位置では、支持面８１Ａを上方から覆っている。開閉部９は、その前端部が上方かつ後方に変位するように揺動軸心Ｘ９周りで揺動することにより、図３に示す開放位置に変位する。開閉部９は、開放位置で支持面８１Ａを露出させる。これにより、ユーザは読取対象の原稿を支持面８１Ａに支持させることができる。
【００２４】
図２及び図３に示すように、読取ユニット３は、読取センサ３Ｓと、図示しない走査機構とを有している。読取センサ３Ｓは、本発明の「読取部」の一例である。走査機構は、本体部８内において、読取センサ３Ｓを支持面８１Ａ及び読取面８２Ａの下で左右方向に往復動させる。支持面８１Ａに支持されている原稿の画像を読み取る場合には、読取センサ３Ｓが支持面８１Ａの下を移動しながら読み取る。読取センサ３Ｓが読取面８２Ａの下で停止する位置は、予め定められた静止読取位置である。シートＳＨを搬送部４によって搬送しながら画像を読み取る場合には、読取センサ３Ｓを静止読取位置に停止させる。読取センサ３Ｓとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。
【００２５】
図１、図２及び図４〜図９に示すように、積載面９２Ａにおける排出方向Ｄ１の下流側端部、すなわち右端部には、収容部１００及び規制部５０が設けられている。収容部１００及び規制部５０の形状等を説明する際の上下方向及び前後方向については、閉鎖位置にある開閉部９の姿勢、及び第１位置にある規制部５０の姿勢を基準とする。なお、閉鎖位置にある開閉部９の前後方向は、本発明の「排出方向と略直交する第１方向」の一例である。また、閉鎖位置にある開閉部９の後端側は「第１方向の一端側」の一例であり、閉鎖位置にある開閉部９の前端側は「第１方向の他端側」の一例である。
【００２６】
収容部１００は、積載面９２Ａの右端部であって、前後方向における中央部分に設けられており、積載面９２Ａから下向きに凹設されている。規制部５０は、回動軸心Ｘ５０周りで回動可能に排出トレイ９２に支持されている。回動軸心Ｘ５０は、揺動軸心Ｘ９と略直交する前後方向に延びている。
【００２７】
規制部５０は、ユーザの手動操作によって回動軸心Ｘ５０周りで回動することにより、図１及び図４〜図６に示す第１位置と、図２及び図７〜図９に示す第２位置との間で変位する。規制部５０は、図１及び図４〜図６に示す第１位置では、収容部１００に収容されて、回動軸心Ｘ５０から排出方向Ｄ１の上流側に向かって延在し、積載面９２Ａから突出しない状態となる。その一方、規制部５０は、図２及び図７〜図９に示す第２位置では、回動軸心Ｘ５０から後方に上り傾斜するように延在し、積載面９２Ａから突出する状態となる。
【００２８】
＜画像読取動作＞
この画像読取装置１では、支持面８１Ａに支持された原稿の画像を読み取る場合、図示しない走査機構が作動して、読取センサ３Ｓを支持面８１Ａの左端縁の下方に位置する読取開始位置から右端縁の下方に位置する読取終了位置までの間で左右方向に移動させる。これにより、読取センサ３Ｓは、支持面８１Ａに支持された原稿の画像を読み取る。その後、図示しない走査機構は、読み取りを終えた読取センサ３Ｓを待機位置に復帰させる。
【００２９】
また、この画像読取装置１では、供給トレイ９１上のシートＳＨを搬送部４によって搬送し、そのシートＳＨの画像を読み取る場合、読取ユニット３において、図示しない走査機構が作動して読取センサ３Ｓを読取面８２Ａの下方である静止読取位置に停止させる。そして、搬送部４が供給トレイ９１上のシートＳＨを搬送経路Ｐ１に沿って搬送すると、そのシートＳＨが静止読取位置にある読取センサ３Ｓの上方を通過するので、読取センサ３Ｓがその通過するシートＳＨの画像を読み取る。そして、搬送部４は、画像が読み取られたシートＳＨを搬送し、排出トレイ９２の積載面９２Ａに排出する。この際、図２に示すように、規制部５０を第２位置に変位させることにより、規制部５０が積載面９２Ａに支持されるシートＳＨの先端を規制する。その結果、積載面９２Ａに積載されたシートＳＨが積載面９２Ａから右方にずれて落下することを防止できる。
【００３０】
＜収容部、規制部、軸部、軸受部、突起、第１当接部及び第２当接部の具体的構成＞
本実施例では、規制部５０が第１位置と第２位置との間で意図せずに変位したり、第１位置又は第２位置でがたついたりすることを抑制するため、図５〜図１３に示すように、収容部１００及び規制部５０に、軸部５６、軸受部１０６、突起５８、第１当接部１１０及び第２当接部１２０が設けられている。
【００３１】
図８〜図１０等に示すように、収容部１００は、底壁１０５、第１内壁１０１、第２内壁１０２、第３内壁１０３及び第４内壁１０４を含んでいる。
【００３２】
底壁１０５は、積載面９２Ａから一段低い位置で、前後方向及び左右方向に略矩形状に延在している。底壁１０５には、一対の凸部１０５Ａが上向きに凸設されている。後方の凸部１０５Ａは、底壁１０５の左端縁に近い位置、かつ底壁１０５の後端縁に隣接する位置に配置されている。前方の凸部１０５Ａは、底壁１０５の左端縁に近い位置、かつ底壁１０５の前端縁に隣接する位置に配置されている。前方の凸部１０５Ａは、後方の凸部１０５Ａと勝手違いの同一形状である。
【００３３】
第１内壁１０１は、底壁１０５の後端縁から上向きに延びて積載面９２Ａに接続している。また、第１内壁１０１は、排出方向Ｄ１に沿う左右方向に延びている。第２内壁１０２は、底壁１０５の前端縁から上向きに延びて積載面９２Ａに接続している。また、第２内壁１０２は、排出方向Ｄ１に沿う左右方向に延びている。つまり、第１内壁１０１と第２内壁１０２とは、底壁１０５を挟んで前後方向で対向する状態で互いに平行に延在している。第１内壁１０１は、収容部１００における揺動軸心Ｘ９に近い内壁である。
【００３４】
第３内壁１０３は、底壁１０５の左端縁から上向きに延びて積載面９２Ａに接続している。第３内壁１０３の後端縁は、第１内壁１０１の左端縁に接続している。第３内壁１０３の前端縁は、第２内壁１０２の左端縁に接続している。第４内壁１０４は、底壁１０５の右端縁から上向きに延びている。第４内壁１０４の上端縁１０４Ｕは、積載面９２Ａよりも一段低い位置にある。第４内壁１０４の後端縁は、第１内壁１０１の右端縁に接続している。第４内壁１０４の前端縁は、第２内壁１０２の右端縁に接続している。
【００３５】
つまり、収容部１００は、底壁１０５、第１内壁１０１、第２内壁１０２、第３内壁１０３及び第４内壁１０４によって、積載面９２Ａの右端部から下向きに凹む略直方体形状の空間を区画している。
【００３６】
第１内壁１０１には、軸受部１０６、第１当接部１１０及び第２当接部１２０が形成されている。図５及び図８に示すように、第２内壁１０２にも、軸受部１０６、第１当接部１１０及び第２当接部１２０が形成されている。第２内壁１０２の軸受部１０６は、第１内壁１０１の軸受部１０６と勝手違いの同一形状である。第２内壁１０２の第１当接部１１０も、第１内壁１０１の第１当接部１１０と勝手違いの同一形状である。第２内壁１０２の第２当接部１２０も、第１内壁１０１の第２当接部１２０と勝手違いの同一形状である。このため、第１内壁１０１の軸受部１０６、第１当接部１１０及び第２当接部１２０について詳しく説明し、第２内壁１０２の軸受部１０６、第１当接部１１０及び第２当接部１２０の説明は適宜省略する。
【００３７】
図８〜図１０等に示すように、第１内壁１０１の軸受部１０６は、第１内壁１０１における第４内壁１０４に近い部位から略円筒形状をなして前向きに突出し、その中央部分が略円錐台形状をなして後向きに凹んでいる。第１内壁１０１の軸受部１０６と、第２内壁１０２の軸受部１０６とは、収容部１００内を前後方向に通過する回動軸心Ｘ５０を規定している。
【００３８】
第１内壁１０１の第１当接部１１０は、上下方向において積載面９２Ａと回動軸心Ｘ５０との間に位置して、前向きに突出している。また、第１内壁１０１の第１当接部１１０は、回動軸心Ｘ５０よりも排出方向Ｄ１の上流側に、すなわち、回動軸心Ｘ５０よりも左方に位置している。
【００３９】
図１０及び図１３等に示すように、第１内壁１０１の第１当接部１１０には、第１当接部１１０の上端から前方に突出しながら下向きに傾斜する第１傾斜面１１１と、第１当接部１１０の下端から前方に突出しながら上向きに傾斜する第１当接面１１２と、第１傾斜面１１１と第１当接面１１２とが接続する稜線である第１頂部１１３とが形成されている。図示及び説明は省略するが、第２内壁１０２の第１当接部１１０にも、第１傾斜面１１１、第１当接面１１２及び第１頂部１１３が勝手違いで形成されている。
【００４０】
図９及び図１０等に示すように、第１傾斜面１１１の左端は、積載面９２Ａに隣接している。第１傾斜面１１１は、左端から右方に延びるにつれて、回動軸心Ｘ５０に接近するように下り傾斜している。第１傾斜面１１１の右端は、軸受部１０６の外周面における上方かつ左方の部分に接続している。また、第１傾斜面１１１は、図１３に示すように、前向きに下り傾斜している。
【００４１】
図９及び図１０等に示すように、第１当接面１１２の左端は、第１傾斜面１１１の左端の下方に位置している。第１当接面１１２は、第１傾斜面１１１に沿って右向きに下り傾斜し、軸受部１０６の外周面に接続している。図１３に示すように、第１当接面１１２は、前向きに上り傾斜している。第１当接面１１２の第１内壁１０１に対する傾斜は、本実施例では４５°程度である。第１当接面１１２の第１内壁１０１に対する傾斜は、第１傾斜面１１１の第１内壁１０１に対する傾斜よりも大きな角度に設定されている。
【００４２】
図９及び図１０等に示すように、第１頂部１１３は、第１傾斜面１１１及び第１当接面１１２に沿って右向きに下り傾斜し、軸受部１０６の先端面に接続している。
【００４３】
図８〜図１０等に示すように、第１内壁１０１の第２当接部１２０は、上下方向において積載面９２Ａと回動軸心Ｘ５０との間に位置して、前向きに突出している。また、第１内壁１０１の第２当接部１２０は、回動軸心Ｘ５０よりも排出方向Ｄ１の下流側に、すなわち、回動軸心Ｘ５０よりも右方に位置している。
【００４４】
図９及び図１０等に示すように、第１内壁１０１の第２当接部１２０には、第２当接部１２０の上端から前方に突出しながら下向きに傾斜する第２傾斜面１２１と、第２当接部１２０の下端から前方に突出しながら上向きに傾斜する第２当接面１２２と、第２傾斜面１２１と第２当接面１２２とが接続する稜線である第２頂部１２３とが形成されている。図示及び説明は省略するが、第２内壁１０２の第２当接部１２０にも、第２傾斜面１２１、第２当接面１２２及び第２頂部１２３が勝手違いで形成されている。
【００４５】
第２傾斜面１２１の右端は、積載面９２Ａに隣接している。第２傾斜面１２１は、右端から左方に延びるにつれて、回動軸心Ｘ５０に接近するように下り傾斜している。第２傾斜面１２１の左端は、軸受部１０６の外周面における上方かつ右方の部分に接続している。また、第２傾斜面１２１は、前向きに下り傾斜している。
【００４６】
第２当接面１２２の右端は、第２傾斜面１２１の右端の下方に位置している。第２当接面１２２は、第２傾斜面１２１に沿って左向きに下り傾斜し、軸受部１０６の外周面に接続している。第２当接面１２２は、前向きに上り傾斜している。第２当接面１２２の第１内壁１０１に対する傾斜は、本実施例では約４５°程度である。第２当接面１２２の第１内壁１０１に対する傾斜は、第２傾斜面１２１の第１内壁１０１に対する傾斜よりも大きな角度に設定されている。
【００４７】
第２頂部１２３は、第２傾斜面１２１及び第２当接面１２２に沿って左向きに下り傾斜し、軸受部１０６の先端面に接続している。
【００４８】
図１１及び図１２等に示すように、規制部５０は、平板部５５、屈曲部５３、第１側壁５１及び第２側壁５２を含んでいる。
【００４９】
平板部５５は、略矩形板状に延在している。図４〜図６に示すように、規制部５０が第１位置にある状態で、平板部５５は前後方向に延在し、かつ、回動軸心Ｘ５０から排出方向Ｄ１の上流側、すなわち、左方に向かって延在している。この状態で、平板部５５の上面は、積載面９２Ａの一部を構成している。
【００５０】
屈曲部５３は、規制部５０が第１位置にある状態で、平板部５５の左端部から屈曲して下向きに突出している。また、規制部５０が第１位置にある状態で、屈曲部５３の下端部は、収容部１００の一対の凸部１０５Ａに当て止まっている。
【００５１】
図１１に示すように、第１側壁５１は、平板部５５の後端縁から下向きに突出し、かつ、排出方向Ｄ１に沿う左右方向に延びている。第１側壁５１が平板部５５の後端縁から突出する長さは、屈曲部５３に接近するにつれて小さくなっている。
【００５２】
第２側壁５２は、平板部５５の前端縁から下向きに突出し、かつ、排出方向Ｄ１に沿う左右方向に延びている。第２側壁５２は、第１側壁５１と勝手違いの同一形状である。つまり、第１側壁５１と第２側壁５２とは、前後方向で対向する状態で互いに平行に延在している。第１側壁５１は、規制部５０における揺動軸心Ｘ９に近い側壁である。
【００５３】
図１１及び図１２に示すように、第１側壁５１には、撓み部５９、軸部５６及び突起５８が形成されている。第２側壁５２にも、撓み部５９、軸部５６及び突起５８が形成されている。第２側壁５２の撓み部５９は、第１側壁５１の撓み部５９と勝手違いの同一形状である。第２側壁５２の軸部５６も、第１側壁５１の軸部５６と勝手違いの同一形状である。第２側壁５２の突起５８も、第１側壁５１の突起５８と勝手違いの同一形状である。このため、第１側壁５１の撓み部５９、軸部５６及び突起５８について詳しく説明し、第２側壁５２の撓み部５９、軸部５６及び突起５８の説明は適宜省略する。
【００５４】
図１１に示すように、第１側壁５１には、切欠き部５９Ｃが略「Ｕ」字状に切り欠かれている。切欠き部５９Ｃの略「Ｕ」字の２つの先端部は、第１側壁５２の右端部の近傍に位置している。切り欠き５９Ｃの略「Ｕ」字の底部は、屈曲部５３側に位置している。
【００５５】
図１１及び図１２に示すように、第１側壁５１の撓み部５９は、切り欠き５９Ｃの内側に位置する部分である。第１側壁５１の撓み部５９は、排出方向Ｄ１の上流側に向かって、基部５９Ｂから先端部５９Ａまで片持ち梁状に延びている。第１側壁５１の撓み部５９は、基部５９Ｂ近傍の弾性変形により先端部５９Ａが前向きに変位可能である。
【００５６】
その一方、第１側壁５１の撓み部５９と勝手違いである第２側壁５２の撓み部５９は、弾性変形により先端部５９Ａが後向きに変位可能である。
【００５７】
第１側壁５１の軸部５６は、撓み部５９における基部５９Ｂと先端部５９Ａとの中間位置から略円錐台形状をなして後向きに突出している。第１側壁５１の突起５８は、撓み部５９の先端部５９Ａから略円錐台形状をなして後向きに突出している。軸部５６は、軸受部１０６に嵌入可能な形状である。突起５８の外径は、軸部５６の外径よりも小さく設定されている。突起５８の突出長さも、軸部５６の突出長さよりも短く設定されている。
【００５８】
第１側壁５１の軸部５６及び突起５８は、第１側壁５１の撓み部５９の弾性変形により、撓み部５９の先端部５９Ａとともに前向きに変位可能である。
【００５９】
その一方、第１側壁５１の軸部５６及び突起５８と勝手違いである第２側壁５２の軸部５６及び突起５８は、第２側壁５２の撓み部５９の弾性変形により、撓み部５９の先端部５９Ａとともに後向きに変位可能である。
【００６０】
図１０に示す第１内壁１０１の軸受部１０６に、図１１及び図１２に示す第１側壁５１の軸部５６を嵌入させる。この際、軸部５６を積載面９２Ａの上方から下降させると、第１当接部１１０の第１傾斜面１１１又は第２当接部１２０の第２傾斜面１２１に当接する。すると、軸部５６は、第１傾斜面１１１又は第２傾斜面１２１に案内されて、軸受部１０６の真上に導かれる。その状態で、軸部５６をさらに下降させると、撓み部５９の弾性変形により、軸部５６が軸受部１０６の円筒部分から一端退避し、その後、軸受部１０６に嵌入する。同様にして、第２内壁１０２の軸受部１０６にも、第２側壁５２の軸部５６を嵌入させる。その結果、第１内壁１０１の軸受部１０６が回動軸心Ｘ５０周りで回動可能に第１側壁５１の軸部５６を支持する。また、第２内壁１０２の軸受部１０６が回動軸心Ｘ５０周りで回動可能に第２側壁５２の軸部５６を支持する。その結果、規制部５０は、図１及び図４〜図６に示す第１位置と、図２及び図７〜図９に示す第２位置との間で回動可能に排出トレイ９２に支持される。
【００６１】
図５に示すように、規制部５０が第１位置にある状態で、第１内壁１０１は第１側壁５１と対向し、第２内壁１０２は第２側壁５２と対向する。
【００６２】
規制部５０が第１位置にある状態で、第１側壁５１の軸部５６は、第１側壁５１から第１内壁１０１に向かって後向きに突出するとともに、撓み部５９が前向きに撓むことで、第１内壁１０１から離間するように前向きに退避可能である。第２側壁５２の軸部５６は、第２側壁５２から第２内壁１０２に向かって前向きに突出するとともに、撓み部５９が後向きに撓むことで、第２内壁１０２から離間するように後向きに退避可能である。
【００６３】
図５及び図１３に示すように、規制部５０が第１位置にある状態で、第１側壁５１の突起５８は、第１側壁５１から第１内壁１０１に向かう突出方向、すなわち後向きの方向に突出するとともに、撓み部５９の弾性変形によって、突出方向とは逆向きに退避可能である。第２側壁５２の突起５８は、第２側壁５２から第２内壁１０２に向かう突出方向、すなわち前向きの方向に突出するとともに、撓み部５９の弾性変形によって、突出方向とは逆向きに退避可能である。
【００６４】
図５に示すように、第１内壁１０１の第１当接部１１０及び第２当接部１２０は、第１側壁５１の突起５８の突出方向とは逆向き、すなわち前向きに突出している。第２内壁１０２の第１当接部１１０及び第２当接部１２０は、第２側壁５２の突起５８の突出方向とは逆向き、すなわち後向きに突出している。
【００６５】
図６及び図１３に示すように、規制部５０が第１位置にある状態で、第１内壁１０１の第１当接部１１０は、第１当接面１１２が積載面９２Ａ側から第１側壁５１の突起５８と当接することにより、突起５８の上方への変位を規制する。この際、図１３に示すように、略円錐台形状の突起５８の傾斜面が第１当接面１１２と面当たりすることにより、第１当接面１１２に対する突起５８のがたつきが抑制される。同様に、第２内壁１０２の第１当接部１１０は、第１当接面１１２が積載面９２Ａ側から第２側壁５２の突起５８と当接することにより、突起５８の上方への変位を規制する。規制部５０は、突起５８の上方への変位が規制されることにより、第１位置から第２位置への回動が規制される。
【００６６】
つまり、規制部５０が第１位置にある状態で第１当接部１１０が突起５８と当接する第１当接方向は、規制部５０の第１位置から第２位置への回動を規制する方向に設定されている。すなわち、第１当接部１１０と突起５８とが当接している状態では、規制部５０の回動が抑制される。また、図１３に示すように、突起５８と第１当接面１１２とが当接していることで、規制部５０の前後方向の移動も抑制される。
【００６７】
図４〜図６等に示すように、ユーザが収容部１００の第３内壁１０３と、規制部５０の屈曲部５３との間に指を差し入れて、規制部５０を引き起こすことにより、規制部５０が第１位置から第２位置に回動する。この際、ユーザが規制部５０を引き起こす方向に力をかけることで、図６に示すように、第１側壁５１の突起５８は、撓み部５９の弾性変形によって前向きに退避しながら、第１内壁１０１の第１当接部１１０の第１当接面１１２、第１頂部１１３及び第１傾斜面１１１に順次摺接する。同様に、第２側壁５２の突起５８は、撓み部５９の弾性変形によって後向きに退避しながら、第２内壁１０２の第１当接部１１０の第１当接面１１２、第１頂部１１３及び第１傾斜面１１１に順次摺接する。その結果、規制部５０が第１位置から第２位置に回動する初期段階において、ユーザが適度なクリック感を感じることができる。
【００６８】
なお、突起５８の突出長さが軸部５６の突出長さよりも短く設定されていることから、突起５８を退避させるために撓み部５９が弾性変形しても、軸部５６が軸受部１０６から外れないようになっている。
【００６９】
そして、図７〜図９等に示すように、規制部５０が第２位置まで回動し、規制部５０の平板部５５が第４内壁１０４の上端縁１０４Ｕに当て止まる。この際、図９に示すように、第１側壁５１の突起５８は、撓み部５９の弾性変形によって前向きに退避しながら、第１内壁１０１の第２当接部１２０の第２傾斜面１２１、第２頂部１２３及び第２当接面１２２に順次摺接する。同様に、第２側壁５２の突起５８は、撓み部５９の弾性変形によって後向きに退避しながら、第２内壁１０２の第２当接部１２０の第２傾斜面１２１、第２頂部１２３及び第２当接面１２２に順次摺接する。その結果、規制部５０が第１位置から第２位置に回動する最終段階においても、ユーザが適度なクリック感を感じることができる。
【００７０】
図９に示すように、規制部５０が第２位置にある状態で、第１内壁１０１の第２当接部１２０は、第２当接面１２２が積載面９２Ａ側から第１側壁５１の突起５８と当接することにより、突起５８の上方への変位を規制する。同様に、第２内壁１０２の第２当接部１２０は、第２当接面１２２が積載面９２Ａ側から第２側壁５２の突起５８と当接することにより、突起５８の上方への変位を規制する。規制部５０は、突起５８の上方への変位が規制されることにより、第２位置から第１位置への回動が規制される。
【００７１】
つまり、規制部５０が第２位置にある状態で第２当接部１２０が突起５８と当接する第２当接方向は、規制部５０の第２位置から第１位置への回動を規制する方向に設定されている。すなわち、第２当接部１２０と突起５８とが当接している状態では、規制部５０の回動が抑制される。また、図１３に示す突起５８及び第１当接面１１２と同様の状態で、突起５８と第２当接面１２２とが当接していることで、規制部５０の前後方向の移動も抑制される。
【００７２】
ユーザが規制部５０を第２位置から第１位置に回動させる際には、第１側壁５１の突起５８と、第２側壁５２の突起５８とが上記とは逆に作用する。そして、規制部５０が第２位置から第１位置に回動する初期段階と最終段階とにおいても、ユーザが適度なクリック感を感じることができる。
【００７３】
＜作用効果＞
実施例１の画像読取装置１では、図６及び図１３に示すように、規制部５０が第１位置にある状態で、突起５８と、第１当接部１１０の第１当接面１１２とが当接する。これにより、画像読取装置１の移動時の姿勢変化や衝撃等があっても、規制部５０の第１位置から第２位置への変位やがたつきを好適に規制できる。特に、開閉部９を図１及び図２に示す閉鎖位置から図３に示す開放位置に変位させる際、図３に二点鎖線で示すように、規制部５０が自重によって意図せずに第１位置から第２位置に変位したり、ばたついたりすることを抑制できる。
【００７４】
一方、図２に示すように、画像読取装置１の作動時、積載面９２Ａに支持されるシートＳＨの先端を規制部５０によって規制する必要がある場合、ユーザが規制部５０を第１位置から第２位置に回動させる。この際、図６及び図１３に示すように、突起５８が突出方向とは逆向きに退避して第１当接部１１０から離間する。これにより、規制部５０の第１位置から第２位置への回動が突起５８によって妨げられない。逆に、規制部５０の第２位置から第１位置への回動も同様である。
【００７５】
したがって、実施例１の画像読取装置１では、ユーザに好適な使用感を与えることができる。
【００７６】
また、この画像読取装置１では、図６に示すように、規制部５０が第１位置にある状態で第１当接部１１０が突起５８と当接する第１当接方向は、規制部５０の第１位置から第２位置への回動を規制する方向に設定されている。より詳しくは、規制部５０が第１位置にある状態で、第１当接部１１０の第１当接面１１２が積載面９２Ａ側から突起５８と当接し、突起５８の上方へ変位を規制する。このような第１当接部１１０により、この画像読取装置１では、規制部５０の第１位置から第２位置への変位やがたつきを一層好適に規制できる。
【００７７】
さらに、この画像読取装置１では、図１０に示す第１内壁１０１の軸受部１０６に、図１１及び図１２に示す第１側壁５１の軸部５６を嵌入させる際、軸部５６を積載面９２Ａの上方から下降させると、軸部５６は、第１当接部１１０の第１傾斜面１１１又は第２当接部１２０の第２傾斜面１２１に案内されて、軸受部１０６の真上に導かれる。その状態で、軸部５６をさらに下降させると、撓み部５９の弾性変形により、軸部５６が軸受部１０６の円筒部分から一端退避し、その後、軸受部１０６に嵌入する。同様にして、第２内壁１０２の軸受部１０６にも、第２側壁５２の軸部５６を嵌入させる。その結果、この画像読取装置１では、規制部５０の組み付け作業を簡素化できる。
【００７８】
また、この画像読取装置１では、図９に示すように、規制部５０が第２位置にある状態で、突起５８と、第２当接部１２０の第２当接面１２２とが当接することにより、規制部５０を第２位置に好適に保持できる。その結果、この画像読取装置１では、図２に示すように、積載面９２Ａに支持されるシートＳＨの先端を規制部５０によって確実に規制できる。
【００７９】
さらに、この画像読取装置１では、図９に示すように、規制部５０が第２位置にある状態で第２当接部１２０が突起５８と当接する第２当接方向は、規制部５０の第２位置から第１位置への回動を規制する方向に設定されている。より詳しくは、規制部５０が第２位置にある状態で、第２当接部１２０の第２当接面１２２が積載面９２Ａ側から突起５８と当接し、突起５８の上方へ変位を規制する。このような第２当接部１２０により、この画像読取装置１では、規制部５０を第２位置に一層好適に保持できる。
【００８０】
また、この画像読取装置１では、図１１及び図１２に示すように、規制部５０の第１側壁５１及び第２側壁５２に、略「Ｕ」字状の切り欠き５９Ｃが設けられることによって、撓み部５９が形成されている。そして、このような簡素な撓み部５９に、軸部５６及び突起５８が形成されているので、軸部５６と突起５８とが退避可能な構成を容易に実現できる。
【００８１】
さらに、この画像読取装置１では、図１１及び図１２に示すように、突起５８は、撓み部５９における軸部５６よりも先端部５９Ａに近い部分、より詳しくは、先端部５９Ａに形成されている。このような撓み部５９と軸部５６及び突起５８との相対位置関係により、この画像読取装置１では、規制部５０の組み付け作業時には軸部５６を確実に退避させる一方、規制部５０の回動時には、軸部５６の退避を抑制して軸受部１０６から外れることを防止しつつ、突起５８を退避及び突出させることができる。
【００８２】
また、この画像読取装置１では、第１側壁５１は、規制部５０における揺動軸心Ｘ９に近い側壁であり、第１内壁１０１は、収容部１００における揺動軸心Ｘ９に近い内壁である。これにより、開閉部９が図３に示す開放位置に変位した際に、第１位置にある状態の規制部５０が自重により揺動軸心Ｘ９に接近するようにずれると、第１側壁５１が第１内壁１０１に接近し、図１３に示すように、突起５８と第１当接部１１０との当接幅Ｗ１が大きくなる。つまり、突起５８と第１当接部１１０との当接範囲が大きくなる。その結果、突起５８と第１当接部１１０とが確実に当接するので、開閉部９の開放時に、規制部５０が意図せずに回動したり、ばたついたりすることを一層抑制できる。
【００８３】
（実施例２）
実施例１の画像読取装置１では、第１内壁１０１及び第２内壁１０２のそれぞれに第１当接部１１０及び第２当接部１２０が形成され、第１側壁５１及び第２側壁５２のそれぞれに突起５８が形成されていたが、図１４及び図１５に示すように、実施例２の画像読取装置では、第２内壁１０２から第１当接部１１０及び第２当接部１２０が省略され、第２側壁５２から突起５８が省略されている。実施例２のその他の構成は、実施例１と同一である。このため、実施例１と同一の構成については同一の符号を付して説明を省略又は簡略する。
【００８４】
実施例２の画像読取装置では、第２側壁５２と第２内壁１０２との間には、隙間Ｗ２が確保されている。隙間Ｗ２は、規制部５０が収容部１００に対して回転軸心Ｘ５０方向に位置ずれすることにより、図１４に示す最小値Ｗ２ｍｉｎから、図１５に示す最大値Ｗ２ｍａｘまでの範囲で増減する。
【００８５】
図１５は、開閉部９が図３に示す開放位置にある状態に対応している。つまり、第２側壁５２及び第２内壁１０２は、第１側壁５１及び第１内壁１０１よりも上方に位置している。この状態で、規制部５０が自重によって下向きにずれることにより、隙間Ｗ２が拡大し、図１５に示す最大値Ｗ２ｍａｘとなる。
【００８６】
突起５８と第１当接部１１０との当接幅Ｗ１は、規制部５０が自重によって下向きにずれることにより拡大し、図１５に示す最大値Ｗ１ｍａｘとなる。
【００８７】
ここで、本実施例では、第２側壁５２と第２内壁１０２との隙間Ｗ２の変動幅Ｗ２ｍａｘ−Ｗ２ｍｉｎは、突起５８と第１当接部１１０との当接幅Ｗ１の最大値Ｗ１ｍａｘ以上に設定されている。
【００８８】
このような構成である実施例２の画像読取装置では、開閉部９が図１及び図２に示す閉鎖位置に変位した際に、図１４に示すように、規制部５０が収容部１００に対して前向きに位置ずれして第２側壁５２と第２内壁１０２との隙間Ｗ２が減少することで、突起５８と第１当接部１１０との当接幅Ｗ１が小さくなり、又はゼロになる。このため、突起５８と第１当接部１１０との当接によるクリック感が小さくなり、又は無くなるので、規制部５０をスムーズに回動させることができる。
【００８９】
その一方、開閉部９が図３に示す開放位置に変位した際に、図１５に示すように、規制部５０が自重によって下向きにずれて第２側壁５２と第２内壁１０２との隙間Ｗ２が拡大することで、突起５８と第１当接部１１０との当接幅Ｗ１が最大値Ｗ１ｍａｘとなる。その結果、突起５８と第１当接部１１０とが確実に当接し、突起５８と第１当接部１１０との当接範囲が大きくなるので、開閉部９の開放時に、規制部５０が意図せずに回動したり、ばたついたりすることを一層抑制できる。
【００９０】
以上において、本発明を実施例１、２に即して説明したが、本発明は上記実施例１、２に制限されるものではなく、その趣旨を逸脱しない範囲で適宜変更して適用できることはいうまでもない。
【００９１】
例えば、収容部の第１内壁に軸部が設けられ、規制部の第１側壁に軸受部が設けられる構成も本発明に含まれる。また、収容部の第１内壁に突起が設けられ、規制部の第１側壁に第１当接部及び第２当接部が設けられる構成も本発明に含まれる。
【００９２】
撓み部は、第１側壁の端縁部の一部が分岐して、片持ち梁状に突出する構成であってもよい。突起は、軸部が設けられる撓み部とは別の撓み部に設けられていてもよい。
【産業上の利用可能性】
【００９３】
本発明は画像読取装置、画像形成装置又は複合機等に利用可能である。
【符号の説明】
【００９４】
１…シート搬送装置（画像読取装置）、ＳＨ…シート、４…搬送部
Ｄ１…排出方向、９２Ａ…積載面、１００…収容部、９２…排出トレイ
Ｘ５０…回動軸心、５０…規制部、５１…第１側壁、１０１…第１内壁
５８…突起、１１０…第１当接部、５６…軸部、１０６…軸受部
１１１…第１傾斜面、１２０…第２当接部、１２１…第２傾斜面
５９…撓み部、５９Ｂ…撓み部の基部、５９Ａ…撓み部の先端部
９…第１ユニット（開閉部）、３Ｓ…読取部（読取センサ）、８１Ａ…支持面
８…第２ユニット（本体部）、Ｘ９…揺動軸心、５２…第２側壁
１０２…第２内壁、Ｗ２…第２側壁と第２内壁との隙間
Ｗ２ｍａｘ−Ｗ２ｍｉｎ…第２側壁と第２内壁との隙間の変動幅
Ｗ１…突起と第１当接部との当接幅
Ｗ１ｍａｘ…突起と第１当接部との当接幅の最大値
【図１】
2018016466.tif 000003
【図２】
2018016466.tif 000004
【図３】
2018016466.tif 000005
【図４】
2018016466.tif 000006
【図５】
2018016466.tif 000007
【図６】
2018016466.tif 000008
【図７】
2018016466.tif 000009
【図８】
2018016466.tif 000010
【図９】
2018016466.tif 000011
【図１０】
2018016466.tif 000012
【図１１】
2018016466.tif 000013
【図１２】
2018016466.tif 000014
【図１３】
2018016466.tif 000015
【図１４】
2018016466.tif 000016
【図１５】
2018016466.tif 000017